(57)【要約】本発明に係る吸収性物品は、液透過性の表面シート１０と、液不透過性の裏面シート４０と、該表面シート１０及び該裏面シート４０の間に載置されている吸収体３０とを有する吸収性物品１００であって、前記裏面シート４０の衣類に面する表面４２側に、平面方向において接着剤６０の塗布領域４００が形成されており、吸熱材５０は、吸収体３０内部に配置されており、少なくとも接着剤６０の塗布領域４００の一部に、吸収性物品１００の厚み方向において吸熱材５０の配置領域２２５と対向していない領域４１０が形成されている。
2009145137.tif 000002
【特許請求の範囲】
【請求項１】
液透過性の表面シートと、液不透過性の裏面シートと、該表面シート及び該裏面シートの間に載置されている吸収体とを有する吸収性物品であって、
前記裏面シートの衣類に面する表面側に、平面方向において接着剤の塗布領域が形成されており、
吸熱材は、前記吸収体内部に配置されており、
少なくとも前記接着剤の塗布領域の一部に、前記吸収性物品の厚み方向において前記吸熱材の配置領域と対向していない領域が形成されていることを特徴とする吸収性物品。
【請求項２】
前記吸熱材は、前記吸収体内部の表面シート側に配置されていることを特徴とする請求項１に記載の吸収性物品。
【請求項３】
前記裏面シートと前記吸収体との間に、疎水性シートが配置されていることを特徴とする請求項１に記載の吸収性物品。
【請求項４】
液透過性の表面シートと、液不透過性の裏面シートと、該表面シート及び該裏面シートの間に載置されている吸収体とを有する生理用ナプキンであって、
前記裏面シートの衣類に面する表面側に、平面方向において接着剤の塗布領域が形成されており、
吸熱材は、前記吸収体内部に配置されており、
少なくとも前記接着剤の塗布領域の一部に、前記吸収性物品の厚み方向において前記吸熱材の配置領域と対向していない領域が形成されていることを特徴とする生理用ナプキン。
【請求項５】
前記生理用ナプキンは、幅方向に延出するウイングを更に有し、
前記生理用ナプキンには、前方領域と中央領域と後方領域とが前記吸収体の長手方向に連続して設けられており、
前記吸熱材は、前記吸収性物品の中央領域を少なくとも含む配置領域で、前記吸収体内部に配置され、
前記中央領域の長手方向の領域は、前記ウイングの長手方向の領域であることを特徴とする請求項４に記載の生理用ナプキン。
【請求項６】
前記生理用ナプキンには、前記吸収体の幅方向の両側部において、長手方向に沿ってエンボス溝が形成されており、
前記吸熱材は、前記エンボス溝の内側に配置されていることを特徴とする請求項４に記載の生理用ナプキン。
【発明の詳細な説明】
【技術分野】
【０００１】
本発明は、液透過性の表面シートと、液不透過性の裏面シートと、該表面シート及び該裏面シートの間に配置されている吸収体とを有する吸収性物品及び生理用ナプキンに関する。
【背景技術】
【０００２】
従来、着用者から排泄された経血等の体液を吸収するため、生理用ナプキンなどの吸収性物品が広く用いられている（例えば、特許文献１参照）。【０００３】
一般的に、かかる吸収性物品は、液透過性の表面シートと、液不透過性の裏面シートと、該表面シート及び該裏面シートの間に配置されている吸収体とを有する。また、着用者が吸収性物品を装着した際、表面シートは、着用者の肌表面に当接し、裏面シートは、肌着面に当接する。【０００４】
また、裏面シートには、肌着面に当接する面に接着剤が設けられており、該接着剤が、肌着面に接着することによって、肌着と吸収性物品との間にずれやよれが発生することを防止する。
【先行技術文献】
【特許文献】
【０００５】
【特許文献１】特開第２００１−１９０５９６号公報
【特許文献２】特許第３９２２７２２号公報
【発明の概要】
【０００６】
ところで、着用者から排泄された経血等の体液は、吸収性物品に対して排泄されるとすぐに蒸散を開始するため、着用者の肌表面と吸収性物品との間の空間における温度及び湿度が上昇してしまい、着用者がムレ感を感じてしまうという問題があった。
【０００７】
ここで、特許第３９２２７２２号公報には、体液の付着によって吸熱反応する吸熱材を備える吸収性物品が開示されている。かかる吸収性物品によれば、着用者から経血等の体液が排泄された際の温度及び湿度の上昇を抑制することが原理的には可能になるが、かかる吸収性物品は、子供のトイレ訓練用オムツを目的とし、吸熱材により温度低下した体液を積極的に逆戻りさせて肌表面に付着させることで、体液の排泄を着用者に認識させるものであるため、経血等の体液が排泄された際のムレ感を抑制するものではない。
【０００８】
更に、吸収性物品において、裏面シートに設けられている接着剤は、温度依存性が極めて高いため、吸熱材により温度低下した体液により、接着剤の温度も低下し、接着剤が硬化してしまう可能性がある。よって、例えば、生理用ナプキンに吸熱材を配置した場合、接着剤の接着力が低下して、肌着と吸収性物品とにずれやよれが発生してしまう恐れがあった。
【０００９】
そこで、本発明は、上述の課題に鑑みてなされたものであり、経血等の体液が排泄された際に、着用者が感じるムレ感を抑制し、かつ着用中に肌着と吸収性物品とにずれやよれが発生しにくい吸収性物品及び生理用ナプキンを提供することを目的とする。
【００１０】
本発明の第１の特徴は、液透過性の表面シートと、液不透過性の裏面シートと、該表面シート及び該裏面シートの間に載置されている吸収体とを有する吸収性物品であって、前記裏面シートの衣類に面する表面側に、平面方向において接着剤の塗布領域が形成されており、吸熱材は、前記吸収体内部に配置されており、少なくとも前記接着剤の塗布領域の一部に、前記吸収性物品の厚み方向において前記吸熱材の配置領域と対向していない領域が形成されていることを要旨とする。
【００１１】
第１の特徴において、前記吸熱材は、前記吸収体内部の表面シート側に配置されていてもよい。
【００１２】
第１の特徴において、前記裏面シートと前記吸収体との間に、疎水性シートが配置されていてもよい。
【００１３】
本発明の第２の特徴は、液透過性の表面シートと、液不透過性の裏面シートと、該表面シート及び該裏面シートの間に載置されている吸収体とを有する生理用ナプキンであって、前記裏面シートの衣類に面する表面側に、平面方向において接着剤の塗布領域が形成されており、吸熱材は、前記吸収体内部に配置されており、少なくとも前記接着剤の塗布領域の一部に、前記吸収性物品の厚み方向において前記吸熱材の配置領域と対向していない領域が形成されていることを要旨とする。
【００１４】
第２の特徴において、前記生理用ナプキンは、幅方向に延出するウイングを更に有し、前記生理用ナプキンには、前方領域と中央領域と後方領域とが前記吸収体の長手方向に連続して設けられており、前記吸熱材は、前記吸収性物品の中央領域を少なくとも含む配置領域で、前記吸収体内部に配置され、前記中央領域の長手方向の領域は、前記ウイングの長手方向の領域であってもよい。
【００１５】
第２の特徴において、前記生理用ナプキンには、前記吸収体の幅方向の両側部において、長手方向に沿ってエンボス溝が形成されており、前記吸熱材は、前記エンボス溝の内側に配置されていてもよい。
【００１６】
以上説明したように、本発明によれば、経血や尿等の体液が排泄された際に、着用者が感じるムレ感を抑制することができ、かつ着用中に肌着と吸収性物品とにずれやよれが発生しにくい吸収性物品及び生理用ナプキンを提供することができる。
【図面の簡単な説明】
【００１７】
【図１】図１は、本発明の第１実施形態に係る吸収性物品の平面図である。
【図２】図２は、本発明の第１実施形態に係る吸収性物品の断面図である。
【図３】図３は、本発明の第１実施形態に係る吸収性物品の吸熱材の配置領域と接着剤の塗布領域とを示す図である。
【図４】図４は、本発明の第２実施形態に係る吸収性物品の平面図である。
【図５】図５は、本発明の第２実施形態に係る吸収性物品の断面図である。
【図６】図６は、本発明の第３実施形態に係る吸収性物品の断面図である。
【発明を実施するための形態】
【００１８】
（本発明の第１実施形態に係る吸収性物品）
図１乃至図２を参照して、本発明の第１実施形態に係る吸収性物品について説明する。図１は、本発明の第１実施形態に係る吸収性物品１００の平面図であり、図２は、吸収性物品１００のＡ−Ａ´線断面図である。
【００１９】
吸収性物品１００は、例えば、生理用ナプキンに適用される。なお、吸収性物品１００を個別の包装容器等に収納する際、吸収性物品１００は、内面へ向けて３つ折りや４つ折りされた状態で封入される。吸収性物品１００の全体形状は、長方形、楕円型、瓢箪型等でもよく、着用者の体及び肌着の形状に適合する形状であれば特に限定されない。また、吸収性物品１００の外形寸法として、長手方向の寸法は、“１００〜５００ｍｍ”の範囲が好ましく、具体的には、“１５０〜３５０ｍｍ”の範囲がより好ましい。また、幅方向の寸法は、“３０〜２００ｍｍ”の範囲が好ましく、具体的には、“４０〜１８０ｍｍ”の範囲がより好ましい。
【００２０】
図１に示すように、本実施形態において、吸収性物品１００には、前方領域２１０と中央領域２２０と後方領域２３０とが、吸収体３０の長手方向（平面方向）に連続して設けられている。なお、前方領域２１０は、着用者の腹側の肌表面に当接される領域であり、中央領域２２０は、着用者の股間部の肌表面に当接される領域であり、後方領域２３０は、着用者のお尻側の肌表面に当接される領域である。
【００２１】
ここで、中央領域２２０は、着用者が吸収性物品１００を装着した際に、経血等の体液が最も多く付着する領域である。例えば、中央領域２２０は、吸収性物品１００の幅方向及び長手方向の中央近傍の領域としてもよい。更に、吸収性物品１００に股間形状を模写したエンボス溝７０ａ乃至７０ｂ（後述）が形成されている場合、中央領域２２０は、図１に示すように、エンボス溝７０ａ乃至７０ｂ（後述）の股間形状の部分８０を、中央領域２２０としてもよい。
【００２２】
また、本実施形態に係る吸収性物品１００には、吸収性物品１００を肌着に固定させるために、吸収性物品１００の幅方向に延出するウイング２０ａ乃至２０ｂが形成されている。このように、ウイング２０ａ乃至２０ｂが形成されている場合、中央領域２２０は、ウイング２０ａ乃至２０ｂに対応する領域を中央領域２２０としてもよい。具体的に、ウイング２０ａ乃至２０ｂが設けられている長手方向の領域を、中央領域２２０の長手方向の領域としてもよい。なお、本実施形態では、ウイング２０ａ乃至２０ｂが設けられている長手方向の領域を、中央領域２２０の長手方向の領域として説明する。
【００２３】
図２に示すように、吸収性物品１００は、液透過性の表面シート１０と、液不透過性の裏面シート４０と、該表面シート１０及び該裏面シート４０の間に配置されている吸収体３０とを有する。表面シート１０は、着用者の肌表面に当接し、裏面シート４０は、肌着面に当接する。なお、吸収性物品１００において、表面シート１０と、吸収体３０と、裏面シート４０とは、それぞれの層間分離を防止するため、接合されていることが好ましい。具体的に、吸収性物品１００は、吸収体３０の周縁部において、表面シート１０と裏面シート４０とを接合し、吸収体３０が内封されていることが好ましい。なお、表面シート１０と裏面シート４０との接合方法としては、ヒートエンボス加工、超音波、又はホットメルト型接着剤のいずれか一つ、又は複数を組み合わせることが可能である。
【００２４】
また、図１乃至２に示すように、吸収性物品１００には、表面シート１０と吸収体３０とを接合するため、表面シート１０と吸収体３０とに対して、エンボス溝７０ａ乃至７０ｂ（いわゆるヒンジ）が形成されている。また、エンボス溝７０ａ乃至７０ｂは、吸収性物品１００が股間部に対してより沿い易くするように、股間部の形状を模写したパターン（エンボスパターン）で形成されている。
【００２５】
また、図１乃至２に示すように、エンボス溝７０ａ乃至７０ｂは、吸収体３０の幅方向の両側部において、長手方向に沿って形成されている。ここで、本実施形態において、吸収体３０の幅方向の両側部は、図２に示すように、吸収体３０の幅方向の間隔をＷとすると、吸収体３０の中心から幅方向の外側に向かって間隔Ｗ１以上の間隔Ｗ２で示される領域とする。例えば、間隔Ｗ１を“１０ｍｍ”とすると、両側部は、吸収体３０の中心から幅方向の外側に向かって“１０ｍｍ”以上の間隔Ｗ２で示される領域とする。なお、両側部は、上述した内容に限定されるものではなく、例えば、間隔Ｗ１と間隔Ｗ２との比を“１：１”や“２：１”として、かかる比に対応する間隔Ｗ２の領域としてもよい。また、エンボス溝７０ａとエンボス溝７０ｂとの幅方向の間隔は、“２０〜６０ｍｍ”であることが好ましい。
【００２６】
また、吸収性物品１００は、経血等の体液の横漏れを防止するため、弾性材等のエラスティック材を用いたギャザー（図示せず）を、吸収体３０の幅方向の両側部に設けてもよい。
【００２７】
表面シート１０は、素材として不織布を用いている。なお、表面シート１０の素材は、織布、又は、有孔プラスチックシート等、液体を透過する構造のシート状の材料であれば、特に限定されずに使用することができる。織布や不織布の素材としては、天然繊維、化学繊維のいずれも使用することが可能である。天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、又は、親水化処理を施した熱可塑性疎水性化学繊維が挙げられる。なお、熱可塑性疎水性化学繊維の例としては、ポリエチレン（ＰＥ）、ポリプロピレン（ＰＰ）、ポリエチレンテレフタレート（ＰＥＴ）等の単繊維、ポリエチレンとポリプロピレンをグラフト重合してなる繊維、芯鞘構造等の複合繊維が挙げられる。
【００２８】
また、特に不織布のウェブフォーミングの方法としては、乾式（カード法、スパンボンド法、メルトブローン法、エアレイド法等）及び湿式のいずれか一つの方法、又は、複数の方法を組み合わせてもよい。また、ボンディングの方法としては、サーマルボンディング、ニードルパンチ、ケミカルボンディング等の方法が挙げられるが、特にこれらの方法に限定されるものではない。また、水流交絡法によりシート状に形成したスパンレースを、不織布として用いても良い。
【００２９】
裏面シート４０は、着用者の肌着に接着させるずれ止め用接着剤６０を、肌着側の面に有する。なお、当該接着剤６０の外面には、剥離シート（図示せず）が、接着によって配置される。裏面シート４０は、素材として、ポリエチレン、ポリプロピレン等を主体としたフィルム、通気性の樹脂フィルム、スパンボンド、又はスパンレース等の不織布に通気性の樹脂フィルムが接合されたものや、ＳＭＳの複数層などを用いることができる。なお、裏面シート４０は、着用感を損なわない程度の柔軟性を考慮すると、例えば、低密度ポリエチレン（ＬＤＰＥ）樹脂を主体とし、目付が“１５〜３０ｇ/ｍ２”の範囲のフィルムを使用することが好ましい。
【００３０】
吸収体３０は、親水性繊維や高分子（ポリマー）を被覆材で覆うように成形されているたものでもよいし、エアレイド法によってシート物に成形されたエアレイドシートでもよい。
【００３１】
親水性繊維の例としては、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、又は、親水化処理を施した熱可塑性疎水性化学繊維等を単独又は混合して用いることができる。これらの中でも、低コストと吸収体の成形し易さとを考慮すると、粉砕パルプを使用することが好ましい。
【００３２】
高分子（ポリマー）の例としては、一般的に、吸収性や吸湿性のあるアクリル酸ナトリウム共重合体などの粒状ポリマーが用いられる。また、別の特性を得るために、銀・銅・亜鉛・シリカ・活性炭・アルミノケイ酸塩化合物・ゼオライトなどの粒状消臭材を使用してもよい。
【００３３】
被覆材の例としては、液透過性で高分子吸収体や吸熱材（後述）がすり抜けないだけのバリアー性があれば良く、織布、不織布等を、特に限定せずに使用することができる。なお、織布、不織布の素材としては、天然繊維、化学繊維のいずれも使用することが可能である。天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、もしくは親水化処理を施した熱可塑性疎水性化学繊維が挙げられる。
【００３４】
また、不織布としては、低コストとバリアー性の高さとを考慮すると、粉砕パルプを主材料とし湿式法で成形されるティッシュを使用することが好ましい。
【００３５】
また、吸収体３０として、エアレイドシートを使用する場合、その厚さは、０．３〜５．０ｍｍであるのが好ましい。また、エアレイドシートの例としては、繊維と粒子状ポリマーとをバインダー等でシート物に成形したものが挙げられる。なお、粒子状ポリマーは、エアレイドシートにおいて、層状に分散されていてもよいし、厚み方向に偏っていてもよい。
【００３６】
また、吸収体３０には、着用中の型崩れやヨレの防止、又は厚みを調整するため、エンボスが形成されていてもよい。吸収体３０へのエンボスは、パターニングされたエンボスロールとフラットロールとの間に、吸収体を通紙することによって形成できる。エンボスロールのパターンは、格子状・ドット状・波状等が用いられるが、厚みを調整しやすい格子状のパターンが好ましい。
【００３７】
また、吸収体３０の長手方向の寸法は、“９０〜４９０ｍｍ”の範囲が好ましく、具体的には、“１４０〜３４０ｍｍ”の範囲がより好ましい。また、幅方向の寸法は、“２５〜１００ｍｍ”の範囲が好ましく、具体的には、“３５〜８０ｍｍ”の範囲がより好ましい。
【００３８】
また、図２に示すように、吸収体３０には、吸熱材５０が配置されている。吸熱材５０は、体液などの液体に接触すると、吸熱反応を発現し、周辺の熱エネルギーを吸収する水溶性物質である。吸熱材５０の例としては、塩化カリウム、塩化ナトリウム、酢酸ナトリウム、硝酸カリウム、尿素、重曹、キシリトール、トレハロース等、水和により吸熱反応を表す水溶性物質が挙げられる。中でも、溶解時の肌に対する刺激性や、長期間保存などの安定性の観点から、塩化カリウムが好ましい。
【００３９】
（吸熱材の配置領域）
本実施形態に係る吸収性物品１００における吸熱材５０の配置領域について説明する。排泄された経血によって、吸熱反応を効率的に発現させるためには、吸熱材５０の配置領域２２５は、着用者の股間部に当接する領域を少なくとも含むことが好ましい。
【００４０】
本実施形態では、吸熱材５０は、吸収性物品１００の長手方向（平面方向）において、中央領域２２０を少なくとも含む配置領域に配置され、吸収性物品１００の厚み方向において、吸収体３０内部に配置されている。中央領域２２０の長手方向の領域は、ウイング２０ａ乃至２０ｂの長手方向の領域に相当する。また、吸熱材５０は、吸収性物品１００の幅方向（平面方向）において、エンボス溝７０ａとエンボス溝７０ｂとの間の領域に配置されている。
【００４１】
また、図１では、吸熱材５０の平面方向の配置領域２２５が、網目模様によって示されている。ここで、中央領域２２０を少なくとも含む配置領域とは、図１に示すように、中央領域２２０内の領域であってもよいし、中央領域２２０の一部の領域と、中央領域２２０外の領域とを含む領域であってもよい。図１に示すように、吸収体３０の長手方向の長さを“Ｌ１”とすると、配置領域２２５の長手方向の長さは、“Ｌ１”に対して３０〜５０％以上の長さ“Ｌ２”であることが好ましい。
【００４２】
ここで、もしも、配置領域２２５の長手方向の長さが、吸収性物品１００の長手方向の長さに対して３０％未満であると、経血の量が少ない場合や、着用者が吸収性物品１００を適切な位置に装着していない場合などに、吸熱材５０の吸熱反応が発現しにくくなってしまう可能性がある。
【００４３】
一方、配置領域２２５の長手方向の長さが、５０％以上であると、吸熱材５０が、着用者の股間部から排泄された経血以外の汗などによって吸熱反応してしまうため、着用者に対して、必要以上に冷感を与えてしまう可能性がある。
【００４４】
従って、配置領域２２５の長手方向の長さは、吸収性物品１００の長手方向の長さに対して、３０〜５０％の長さであることが好ましい。
【００４５】
更に、吸熱材５０の配置領域２２５は、中央領域２２０だけでなく、吸収性物品１００の長手方向の中央を含むことが好ましい。吸収性物品１００の中央とは、吸収性物品１００の中心であってもよいし、ウイング２０ａ乃至２０ｂを長手方向に等分する中心線上の点であってもよいし、吸収体３０の両側部が、幅方向で内側に向かって凸状に湾曲して形成されている場合には、吸収体３０の幅が最も狭くなる部分であってもよい。
【００４６】
更に、吸収性物品１００において、厚み方向に凸状に突出する中高部が形成されている場合、吸収性物品１００の中央は、かかる中高部の平面方向の中央であってもよい。なお、かかる中高部は、大きさの異なる複数の吸収体３０を重ねて形成されていてもよいし、吸収体３０の目付を他の領域よりも大きくなるように形成されていてもよい。
【００４７】
なお、配置領域２２５の平面方向における吸熱材５０の密度は、均一であってもよいし、中央領域２２０において高くなるように構成されていてもよい。
【００４８】
吸熱材５０の厚み方向の位置は、吸熱材５０の吸熱反応によって、着用者へ冷感などの不快感を与えない位置に配置されることが好ましい。例えば、吸熱材５０は、表面シート１０と吸収体３０との間や、表面シートの内部に配置してもよいが、吸熱反応を長時間繰り返させたり、冷感を与えないためには、吸収体３０内に含まれていることが好ましい。
【００４９】
また、本実施形態では、吸熱材５０は、吸収体３０内部の表面シート１０側に配置されている。具体的に、本実施形態では、吸収体３０の厚さ方向において、表面シート１０側の吸熱材５０の密度が、裏面シート４０側の吸熱材５０の密度よりも高い。つまり、吸収体３０内部の吸熱材５０の密度が、吸収体３０の厚さ方向において異なる。
【００５０】
例えば、図２に示すように、吸収体３０の厚さ方向の間隔を“ｔ”とする。また、かかる間隔“ｔ”の半分を“ｔ１”とすると、本実施形態では、厚さ方向において、吸収体３０の表面シート側の面３１から間隔“ｔ１”における吸収体３０内の吸熱材５０の密度が、吸収体３０の裏面シート側の面３２から間隔“ｔ１”における吸収体３０内の吸熱材５０の密度よりも高い。
【００５１】
なお、吸収性物品１００には、吸収体３０の厚み方向において、吸収体３０の表面シート１０側の面３１と吸熱材５０との間隔（第１の間隔）と、吸収体３０の裏面シート４０側の面３２と吸熱材５０との間隔（第２の間隔）とが設けられている場合、面３２と吸熱材５０との間隔が、面３１と吸熱材５０との間隔よりも大きくなるように構成されていてもよい。
【００５２】
（吸熱材の粒径）
本実施形態に係る吸熱材５０の粒径について、説明する。本実施形態に係る吸熱材５０には、粒径が異なる吸熱材が配置されている。具体的に、吸熱材５０には、粒径が１５０μｍ〜８５０μｍの範囲で、かつ粒径が異なる吸熱材を含む。なお、吸熱材の粒径は、特に限定しないが、異物感の観点と生産性の観点から３００〜８００μｍの範囲であってもよいし、３５０〜６００μｍの範囲であってもよい。
【００５３】
ここで、吸熱材の成分が同一であれば、粒径が大きい吸熱材ほど完全溶解する速度が遅くなる。これは、吸熱材が水和により溶解する際、粒子の最表面から溶解し始めるため、粒径が大きい、つまり体積が大きいほど完全溶解するには時間がかかる。
【００５４】
また、長時間又は繰り返しの排泄でも吸熱反応を発現させるには、粒径が大きいほど好ましいが、粒径が大きい吸熱材のみが吸収体３０に配合されていると、吸収体３０の剛性が高まってしまうため、着用者に対して異物感を与えてしまう。
【００５５】
よって、吸熱材５０において、吸熱反応を長時間発現させ、かつ、吸収体３０の剛性を過度に高めないために、粒径が異なる吸熱材を配合することが好ましい。
【００５６】
（吸収体における吸熱材の構成）
本実施形態に係る吸熱材５０の構成について説明する。吸熱材５０は、被覆材によって、吸熱材５０のみを被覆したシートを吸収体３０の上面に配置してもよいし、パルプとパルプとの間に層状に吸熱材５０を配置してもよい。さらに、吸熱材５０は、表面シート１０と吸収体３０の間に挟みこんでもよい。
【００５７】
ここで、吸熱材５０は水溶性であるため、１度目の経血の排泄によって、例えば、粒径が小さい領域の吸熱材５０が溶解してしまった場合、吸熱材５０に空間が出来てしまうことになる。かかる場合、繰り返し経血が排泄されると、表面シート１０側から裏面シート４０側へ経血が移行しにくくなってしまい、表面シート１０に経血が滞留して、着用者へ不快感を与えてしまう恐れがある。
【００５８】
以上から、吸熱材５０は、パルプ等とブレンドして、吸熱材５０がある程度分散している方が好ましい。具体的には、吸収体３０は、パルプを６０〜９８％の範囲、粒子状の吸熱材５０を４０〜２％の範囲、粒子状ポリマーを２０〜０％の範囲で混合し、ティッシュで被覆した後、エンボス加工によりシート化した目付１００〜２０００ｇ／ｍ２、高さ１〜５０ｍｍに成形することが好ましい。なお、エンボス加工は、吸収体の型崩れを防止するためであり、エンボス面積率は１０〜１００％の範囲、具体的には、は３０〜８０％の範囲であることが好ましい。
【００５９】
なお、吸収体３０における吸熱材５０は、経血等の体液によって吸熱材５０の吸熱反応を長時間繰り返す構成や、冷感を与えない構成が好ましい。具体的に、上層材（表面シート１０側）には、パルプ５０〜１５０ｇｓｍと塩化カリウム０．５〜３．０ｇをブレンドする。下層材（裏面シート４０側）には、パルプ５０〜２００ｇｓｍと高分子吸収体０．１〜０．５ｇとをブレンドする。そして、上層材と下層材とを重ね合わせて、ティッシュで被覆した後、エンボス加工を施したものを、吸熱材５０としてもよい。
【００６０】
（吸熱材の混入量）
本実施形態に係る吸収体３０における吸熱材５０の混入量について説明する。吸熱材５０の混入量は、吸熱材５０の種類によって溶解熱や溶解度が異なることや、吸熱材５０の配置位置によっても影響される。ここで、肌表面と吸収性物品１００との間の空間における温度及び湿度の急激な上昇を抑制させる点と、着用者へ冷感などの不快感を与えない点とを考慮すると、吸収性物品１００の１枚当たりの吸熱材５０の重量は、０．１〜１０ｇの範囲、より具体的には、０．５〜５ｇの範囲が好ましい。
【００６１】
例えば、吸収性物品１００を生理用ナプキンとして用い、塩化カリウムを吸熱材５０として用いた場合を例に挙げて説明する。
【００６２】
生理期間中の経血量が多い日（１〜３日目）におけるナプキン１枚当たりの平均吸収量は、一般的に、約６．０ｍｌであることが知られている。また、塩化カリウムの溶解度は、３７℃±５℃に調整した実験液（生理食塩液）に対しては約２７．０％であることが知られている。
【００６３】
これらから、経血量６．０ｍｌに対して溶解可能な塩化カリウムは約２．０ｇとなり、２．０ｇ以上塩化カリウムを混入してもそれ以上には吸熱反応をしないことになる。よって、塩化カリウムを多い日用の生理用ナプキンとして用いた場合は、塩化カリウムの混入量は０．５〜３．０ｇの範囲、さらには１．０〜２．０ｇの範囲が好ましい。
【００６４】
（接着剤と吸熱材の配置）
本実施形態に係る吸収性物品１００において、接着剤６０と吸熱材５０の配置について説明する。
【００６５】
本実施形態に係る吸収性物品１００には、裏面シート４０の衣類に面する表面側に、平面方向において接着剤の塗布領域が形成されている。
【００６６】
具体的に、図２に示すように、裏面シート４０には、接着剤６０が配置されている。ここで、裏面シート４０の肌着（衣類）に面する表面側とは、吸収性物品１００の厚み方向において、裏面シート４０から吸収体３０に対して反対側である。つまり、図２に示すように、裏面シート４０の肌着に面する表面は、裏面シート４０の吸収体３０に対して反対側の面４２である。なお、裏面シート４０の吸収体３０に面する表面は、吸収体３０側の面４１である。
【００６７】
また、図１に示すように、吸収性物品１００の平面方向において、接着剤６０の塗布領域４００が形成されている。具体的に、図１の例では、接着剤６０の塗布領域４００が、幅寸法が６ｍｍ、間隔５ｍｍで、吸収性物品の長手方向に、６本パターンのすだれ状に塗布されている。なお、図１の例において、接着剤６０の塗布領域４００の長手寸法は、少なくとも吸熱材５０の長手方向の寸法よりも、長いことが好ましい。接着剤６０の目付は、１０〜２００ｇ／ｍ２であることが好ましい。また、接着剤６０は、コーター塗工、ビード塗工などによって、均一、スジ状、ドット状のパターンで、裏面シート４０に配置（塗工）することができる。
【００６８】
また、本実施形態に係る吸収性物品１００では、少なくとも接着剤６０の塗布領域４００の一部に、吸収性物品１００の厚み方向において吸熱材５０の配置領域２２５と対向していない領域４１０が形成されている。
【００６９】
具体的に、図３を参照して説明する。図３には、図１における接着剤６０の塗布領域４００と吸熱材５０との平面図が示されている。図３に示すように、吸収性物品１００を、吸収性物品１００の厚み方向に向かって見た際に、接着剤６０の塗布領域４００の一部に、吸熱材５０の配置領域２２５と重なっていない（重複していない）塗布領域４１０が形成されている。また、吸熱材５０の配置領域２２５と重なっている塗布領域４２０が、形成されている。
【００７０】
つまり、吸収性物品１００を、吸収性物品１００の厚み方向に向かって見た際に、吸熱材５０の配置領域２２５と重なっていない（重複していない）接着剤６０の塗布領域４００が、対向していない塗布領域４１０である。また、吸熱材５０の配置領域２２５と重なっている（重複している）接着剤６０の塗布領域４００が、対向している塗布領域４２０である。
【００７１】
なお、吸熱材５０の配置領域２２５と対向していない塗布領域４１０と、吸熱材５０の配置領域２２５と対向している塗布領域４２０とを合わせた領域が、接着剤６０の全体の塗布領域４００である。
【００７２】
（接着剤の素材）
接着剤６０は、常温時にタック性を有していることが好ましい。よって、接着剤６０の例としては、感圧型接着剤が挙げられる。また、接着剤６０のベースポリマーとしては、ＳＥＢＳ、ＳＢＳ、ＳＩＳ等のゴム系や直鎖状低密度ポリエチレン等のオレフィン系、水溶性高分子からなるポリビニルアルコール、カルボキシルメチルセルロース、ゼラチン等、または、水膨潤性高分子からなるポリビニルアセテートやポリアクリル酸ナトリウム等が例として挙げられる。
【００７３】
また、接着剤６０の構成としては、ベースポリマーと粘着付与剤とオイルと安定剤を含む構成が挙げられる。本実施形態に係る接着剤６０は、温度に対する依存性が低いものが好ましい。つまり、吸熱材５０によって、体液の温度が低下したとしても、接着力が低下しにくいことが好ましい。また、接着剤６０自体が柔らかい性質を有することで、低温における接着力を維持するようにしてもよい。例えば、接着剤６０のオイル比率を高めたり、分子量が低めのベースポリマーを用いてもよい。具体的には、ＳＥＢＳを１５〜２５％、粘着付与剤を４０〜７０％、オイルを１５〜３５％、酸化防止剤や蛍光防止剤などの安定剤を０．１〜１．０％の範囲で添加したものが例として挙げられる。
【００７４】
本発明の第１実施形態に係る吸収性物品１００によれば、吸熱材５０が、吸収体３０の内部に配置されている。よって、かかる吸収性物品１００によれば、経血等の体液が排泄された際に、吸熱材５０の吸熱反応によって、吸収体３０の温度及び湿度が上昇することを抑制する。即ち、かかる吸収性物品１００によれば、経血や尿等の体液が排泄された際に、着用者が感じるムレ感を抑制することができる。
【００７５】
また、吸熱材５０として用いる水溶性物質が血液に溶解すると、血漿中の溶質の濃度が上昇する。このため、血漿の浸透圧が高まり、赤血球内の水分が赤血球の外に放出される。これにより、赤血球は収縮し、赤血球の体積が減少する。赤血球の体積が減少すると、血液の表面張力が高くなり、表面シート１０に対する血液の接触角が高まる。すなわち、赤血球の濡れ性が低減する。
【００７６】
このように、表面シート１０を一旦通過した血液に水溶性物質が溶解すると、血液の濡れ性が低減するため、血液は、表面シート１０を再度透過して肌側に戻りにくくなる。従って、着用者にドライ感を与えることができる。
【００７７】
本発明の第１実施形態に係る吸収性物品１００によれば、少なくとも接着剤６０の塗布領域４００の一部に、吸収性物品１００の厚み方向において吸熱材の配置領域２２５と対向していない塗布領域４１０が形成されている。よって、吸熱材５０によって、吸収体３０に含まれる体液の温度が低下する場合であっても、塗布領域４１０における接着剤６０の温度が低下する影響は少ない。
【００７８】
ここで、一般的に、接着剤６０は、温度依存性が高く、温度の低下によって硬化してしまうため、接着力が低下してしまう恐れがあった。接着剤６０の接着力が低下すると、肌着に取り付けられた吸収性物品にずれやよれが発生し、着用者に異物感を与えたり、経血等の体液が漏れたりするという問題があった。
【００７９】
本実施形態に係る吸収性物品１００によれば、温度依存性が高く、温度の低下によって接着力が低下してしまうような接着剤６０が設けられている場合であっても、接着剤６０の温度が低下することを低減できるので、吸収性物品にずれやよれが発生することを防止できる。
【００８０】
このように、本発明の第１実施形態に係る吸収性物品１００によれば、経血等の体液が排泄された際に、着用者が感じるムレ感を抑制し、かつ接着剤６０の接着力の低下によって肌着とのずれやよれが発生することを低減することができる。
【００８１】
また、本発明の第１実施形態に係る吸収性物品１００によれば、吸熱材５０は、吸収体３０内部の表面シート１０側に配置されている。よって、経血等の体液の排泄量が少ない場合であっても、吸熱材５０に吸熱反応をより確実に発現させて、温度及び湿度の上昇を抑制することができる。
【００８２】
また、本発明の第１実施形態に係る吸収性物品１００によれば、吸熱材５０は、吸収性物品１００の中央領域２２０を少なくとも含む領域に配置されている。また、本実施形態において、中央領域２２０は、ウイング２０ａ乃至２０ｂの長手方向の領域に相当する。
【００８３】
ここで、一般的に、吸収性物品１００は、装着する際に、ウイング２０ａとウイング２０ｂとの間の領域が股間部に当接するように用いられている。従って、ウイング２０ａ乃至２０ｂの長手方向の領域を中央領域２２０とし、かかる中央領域２２０を少なくとも含む領域に吸熱材５０を配置することで、着用者からの経血等の体液を、より確実に吸熱材５０に付着させて、吸熱反応を発現させることができる。
【００８４】
また、本発明の第１実施形態に係る吸収性物品１００では、表面シート１０と吸収体３０とを接合するために、エンボス溝７０ａ乃至７０ｂが形成され、吸熱材５０は、エンボス溝７０ａとエンボス溝７０ｂとの間の領域に配置されている。
【００８５】
従って、本発明の第１実施形態に係る吸収性物品１００によれば、表面シート１０と吸収体３０とが離れにくくなるように形成されているので、着用者からの経血等の体液を、より確実に吸熱材５０に付着させて、吸熱反応を発現させることができる。更に、かかる吸収性物品１００によれば、吸熱材５０が、エンボス溝７０ａとエンボス溝７０ｂとの間の領域に配置されているので、吸収性物品１００にヨレが発生した場合であっても、吸熱材５０が、吸収体３０の外に出てしまうことを低減できる。
【００８６】
（本発明の第２実施形態に係る吸収性物品）
図４乃至５を参照して、本発明の第２実施形態に係る吸収性物品について説明する。以下、本発明の第２実施形態に係る吸収性物品について、本発明の第１実施形態に係る吸収性物品との相違点に着目して説明する。
【００８７】
図４は、本発明の第２実施形態に係る吸収性物品１１０の平面図であり、図５は、吸収性物品１１０のＢ−Ｂ´線断面図である。
【００８８】
図４に示すように、本実施形態に係る吸収性物品１１０は、第１実施形態に係る吸収性物品１００と比べて、後方領域２３０が長手方向に長い、つまり、着用者のお尻側（尾骨側）の肌表面に当接する領域が長い。吸収性物品１１０は、例えば、着用者が臥位（例えば、仰向け）の状態である場合においても、着用者の体（例えば、お尻）を伝って流れる経血等を吸収するように構成されている。
【００８９】
また、吸収性物品１１０には、吸収性物品１１０が股間部に対してより沿い易くするため、表面シート１０と吸収体３０とにおいて、股間部の形状を模写したエンボス溝７１ａ乃至７１ｂが形成されている。
【００９０】
ここで、図４に示すように、吸熱材５１は、吸収性物品１１０の長手方向の中央部である配置領域２２８に配置される。また、図４に示すように、吸熱材５２は、吸収性物品１１０の長手方向の両端部である配置領域２２７及び配置領域２２９に配置される。なお、吸収性物品１１０の長手方向の両端部とは、吸収性物品１１０を着用者が装着した際、上述した中央部の領域に対する腹側の領域（配置領域２２７）及びお尻側の領域（配置領域２２９）である。
【００９１】
また、吸熱材５２の配置領域２２７及び配置領域２２９における吸熱材５２の混合率は、配置領域２２８における吸熱材５１の混合率よりも低い。混合率は、単位面積あたりの混入量、例えば、単位面積あたりの吸熱材の重量を示す。なお、吸熱材５１乃至５２には、粒径が異なる吸熱材が配置されていてもよい。
【００９２】
また、吸収性物品１１０によれば、表面側シート１０を一旦通過した血液に水溶性物質が溶解することにより、血液の濡れ性が低減させられる。このため、血液は、表面側シート１０を再度透過して肌側に戻りにくくなる。従って、着用者にドライ感を与えることができる。
【００９３】
また、図４に示すように、吸収性物品１１０の平面方向において、接着剤６１の塗布領域４４０が形成されている。具体的に、図４の例では、接着剤６１の塗布領域４４０が、幅寸法１５ｍｍ、間隔３５ｍｍで、吸収性物品の長手方向に、２本パターンですだれ状に塗布されている。なお、図４の例において、接着剤６１の塗布領域４４０の長手寸法は、少なくとも吸熱材５１の長手方向の長さ寸法よりも長いことが好ましい。
【００９４】
また、本実施形態に係る吸収性物品１１０では、接着剤６１の塗布領域４４０が、吸収性物品１１０の厚み方向において吸熱材５１の配置領域２２５と対向していない領域である。つまり、接着剤６１の塗布領域４４０全面が、吸熱材５１の配置領域２２５と対向していない領域である。
【００９５】
第２実施形態に係る吸収性物品１１０によれば、接着剤６１の塗布領域４４０全面が、配置領域２２５と対向していない領域であるため、吸熱材５１によって、体液の温度が低下する場合であっても、塗布領域４４０における接着剤６１の接着力への影響はほぼ無い。
【００９６】
よって、本実施形態に係る吸収性物品１１０によれば、接着剤６１の接着力の低下を防止できるので、吸収性物品１１０と肌着とのずれやよれの発生を低減することができる。
【００９７】
このように、本発明の第２実施形態に係る吸収性物品１１０によれば、経血等の体液が排泄された際に、着用者が感じるムレ感を抑制し、かつ接着剤６１の接着力の低下によって肌着とのずれやよれが発生することを低減することができる。
【００９８】
（本発明の第３実施形態に係る吸収性物品）
図６を参照して、本発明の第３実施形態に係る吸収性物品について説明する。以下、本発明の第３実施形態に係る吸収性物品について、本発明の第１実施形態に係る吸収性物品１００との相違点に着目して説明する。図６は、本発明の第３実施形態に係る吸収性物品１２０の断面図である。
【００９９】
図６に示すように、本実施形態に係る吸収性物品１２０では、裏面シート４０と吸収体３０との間に、疎水性シート９０が配置されている。なお、本実施形態に係る吸収性物品１２０は、疎水性シート９０が配置されていることを除き、第１実施形態に係る吸収性物品１００と同様の構成である。
【０１００】
具体的に、図６に示すように、本実施形態に係る吸収性物品１２０では、吸収体３０の裏面シート４０側の面３２に、疎水性シート９０が配置されている。
【０１０１】
また、疎水性シート９０の平面方向の面積は、少なくとも吸熱材５０の配置領域２２５の面積よりも広いことが好ましい。なお、疎水性シート９０の平面方向の面積は、吸収体３０の面積と略同等であってもよい。
【０１０２】
疎水性シート９０の素材は、吸熱材５０によって温度低下した体液によって、裏面シート４０に配置した接着剤６０の温度の低下を抑制できれば特に限定しない。疎水性シート９０の素材の例としては、不液透過性であるフィルムや疎水性不織布シートが挙げられる。
【０１０３】
疎水性シート９０としてフィルムを用いた場合、吸熱材５０により温度低下した体液は、裏面シート４０に当接しないため、裏面シート４０及び接着剤６０の温度が低下しにくくなる。
【０１０４】
疎水性シート９０として用いるフィルムの数は、１枚でもよいし、複数枚を重ねてもよい。なお、複数枚のフィルムを重ねる場合、吸収性物品１２０には、吸収体３０の裏面シート４０側の面３２と、裏面シート４０の吸収体３０側の面４１との間に、空間が設けられる。よって、熱伝導性が低下して、裏面シート４０及び接着剤６０の温度が低下しにくくなる。しかし、コストを抑えるという観点からは、フィルムを立体成形して、面３２と面４１との間に空間を設けることが好ましい。かかる場合、凹凸エンボスなどによってフィルムに凹凸を成形したり、パーフォレーションによってフィルムに凹凸と開孔とを成形してもよい。なお、疎水性シート９０の素材は、第１実施形態おいて示した裏面シート４０の素材や形状を用いてもよい。
【０１０５】
疎水性シート９０の素材が、疎水性不織布シートである場合、面３２と面４１との間に空間（繊維間の空間）が設けられる。よって、熱伝導性が低下して、裏面シート４０及び接着剤６０の温度が低下しにくくなる。更に、嵩高性の疎水性不織布シートであれば、より空間を大きくできるため好ましい。この空間の成形方法としては、上述した立体成形する方法が挙げられる。
【０１０６】
また、疎水性シート９０の素材として、フィルムを用いるよりも、不織布シートを用いる方が、吸収性物品１２０の剛性を過度に高めにくいため好ましい。具体的には、第１実施形態において示した表面シート１０の素材や形状から、親水性処理を施していないものや撥水性処理を施したものを選定してもよい。
【０１０７】
本発明の第３実施形態に係る吸収性物品１２０では、裏面シート４０と吸収体３０との間に、疎水性シート９０が配置されている。
【０１０８】
よって、本実施形態に係る吸収性物品１２０では、疎水性シート９０は、吸熱材５０によって温度の低下した体液を遮蔽するので、かかる体液によって、裏面シート４０及び接着剤６０の温度が低下することを抑制できる。
【０１０９】
このように、本発明の第３実施形態に係る吸収性物品１２０によれば、接着剤６０の接着力の低下を抑制できるので、吸収性物品１２０と肌着とのずれやよれの発生を低減することができる。
【０１１０】
（その他の実施形態）
上述の実施形態では、吸収性物品として生理用ナプキンを例に挙げて説明してきたが、本発明は、生理用ナプキンに限定されることはなく、パンティーライナーや失禁パッド等の女性用の吸収性物品や、オムツにも適用可能である。
【０１１１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。更に、本発明の実施形態及び変形例は組み合わせることが可能である。
【０１１２】
なお、日本国特許出願第２００８−１４００５４号（２００８年５月２８日出願）の全内容が、参照により、本願明細書に組み込まれている。
【産業上の利用可能性】
【０１１３】
以上のように、本発明に係る吸収性物品及び生理用ナプキンは、経血や尿等の体液が排泄された際に、着用者が感じるムレ感を抑制することができ、かつ着用中に肌着と吸収性物品とにずれやよれが発生しにくいため、吸収性物品及び生理用ナプキンの製造・提供において有用である。
【図１】
2009145137.tif 000003
【図２】
2009145137.tif 000004
【図３】
2009145137.tif 000005
【図４】
2009145137.tif 000006
【図５】
2009145137.tif 000007
【図６】
2009145137.tif 000008
【国際調査報告】
2009145137.tif 000009
2009145137.tif 000010
2009145137.tif 000011
2009145137.tif 000012